(57)【要約】【課題】　浴槽が設置された床及び浴槽の裏底部等の汚れを確実に除去して浴室を衛生的に保つことができる浴室の洗浄システムを提供すること。【解決手段】　浴槽１１と浴槽１１が設置された床１２との間に隙間１３が設けられているとともに、浴槽１１の排水口１１ｃから排出される湯水を外部に排出する主排水口１４が床１２に設けられている浴室１０の洗浄システムである。主排水口１４を塞いで止水する止水材２と、主排水口１４に配されて汚れの固形分を捕集するフィルター材３と、隙間１３に供給されて浴槽１１の裏底部１１ｅを浸す洗浄液を調製する洗浄剤とを備えている。【選択図】　図１
2004113781.tif 000002
【特許請求の範囲】
【請求項１】
　浴槽と該浴槽が設置された床との間に隙間が設けられているとともに、湯水を外部に排出する主排水口が前記床に設けられている浴室の洗浄システムであって、
　前記主排水口を塞ぐ止水材と、前記主排水口に配されて汚れの固形分を捕集するフィルター材と、前記隙間に供給されて前記浴槽の裏底部を浸す洗浄液を調製する洗浄剤とからなる浴室の洗浄システム。
【請求項２】
　前記止水材は、基材フィルムの片面に粘着剤層が設けられており、たわみが４０ｇｆ以上で且つ剥離強度が１０Ｎ以下である請求項１記載の浴室の洗浄システム。
【請求項３】
　前記フィルター材は、袋状のフィルターと、該フィルターを開口状態で前記主排水口に固定する固定具とからなり、
　前記フィルターは、通気度が１００ｍ／（ｋＰａ・ｓ）以上であり、
　前記固定具は、前記フィルターの開口部を前記主排水口の口径に合わせて広げるバンド部と、該バンド部の長さを調整するバックル部とを有している請求項１又は２記載の浴室の洗浄システム。
【請求項４】
　前記洗浄剤は、水中で過酸化水素を放出する化合物を１〜９９質量％含有する請求項１〜３の何れかに記載の浴室の洗浄システム。
【請求項５】
　前記洗浄剤は、有機過酸前駆体を０．０５〜３０質量％含有する請求項１〜４の何れかに記載の浴室の洗浄システム。
【請求項６】
　浴槽と該浴槽が設置された床との間に隙間が設けられているとともに、湯水を外部に排出する主排水口が前記床に設けられている浴室を、前記隙間に洗浄液を供給し、該洗浄液で前記浴槽の裏底部を浸して洗浄するときに用いるための止水材であって、
　基面部の外縁部に平面部を有し、前記洗浄液の水圧がかかることによって、前記平面部が前記主排水口の開口周縁部と密接して該記主排水口を塞ぐように設けられている止水材。
【請求項７】
　薄肉の樹脂成形体からなり、中央部に摘み部が設けられているとともに、同心状又は放射状の補強リブが設けられている請求項６記載の止水材。
【請求項８】
　浴槽と該浴槽が設置された床との間に隙間が設けられているとともに、湯水を外部に排出する主排水口が前記床に設けられている浴室の洗浄システムであって、
　請求項６又は７記載の止水材と、前記隙間に供給されて前記浴槽の裏底部を浸す洗浄液を調製する洗浄剤とからなる浴室の洗浄システム。
【請求項９】
　前記洗浄剤は、水中で過酸化水素を放出する化合物を１〜９９質量％含有する請求項８記載の浴室の洗浄システム。
【請求項１０】
　前記洗浄剤は、有機過酸前駆体を０．０５〜３０質量％含有する請求項８又は９記載の浴室の洗浄システム。
【発明の詳細な説明】
【技術分野】
【０００１】
　本発明は、浴槽と該浴槽が設置された床との間に隙間が設けられているとともに、前記浴槽の湯水を排出する排水口が前記床に設けられている浴室の洗浄に用いられる洗浄システム及び止水材に関する。
【背景技術】
【０００２】
　アパート、マンション、団地等の集合住宅では、浴室の床に浴槽が設置され、該浴槽と該床との隙間に、該浴槽の排水口から該床に設けられた主排水口に配水管が配され、前記浴槽内の湯水の排水と洗い場で使用した湯水の排水とが共に該主排水口を通じて排出されるユニットタイプの浴室が多く使用されている。
【０００３】
　このような浴室は、浴槽の側面部にパネル（エプロン）等が取り付けられて内部が見えなくなっていたりしている。このため、長期間使用していると、前記主排水口が詰まって浴槽から排出される湯水が溢れたり、洗い場で使用した湯水が浴槽裏底部に流れ込んだりし、前記浴槽と前記床の隙間に汚れた湯水が流れ込んで滞留してしまう場合があった。
　そして、これらの湯水に含まれる石鹸カス、垢、皮脂、髪の毛等が、該床、該浴槽の裏底部、該浴槽の脚部等に付着して汚れとなり、異臭を発したり、該汚れにカビが生えたり細菌やコバエ等が繁殖したりする場合もあり、非常に不衛生であった。
【０００４】
　また、このように長期間に亘って付着した汚れは、浴槽と床との隙間が狭いことも加わり、前記エプロン等を取り外し、シャワーやホース等を用いて該隙間から直接水を吹き付けたりしただけでは容易に除去できるものではなかった。
【０００５】
　斯かる浴槽の床の洗浄方法に関する従来技術として、浴槽用防水床の排水口を止水蓋で塞いだ後、温水をそそぎ込み、２〜５ｃｍの深さになるまで防水床を浸水させた後、これに過酸化水素あるいは水溶液中で過酸化水素を遊離する過酸化物を主成分とする洗浄剤組成物よりなる洗浄剤をそそぎ込み、浸水表面に汚れが浮き出してくるまで放置した後、該浸水液を排出するものが知られている（例えば、特許文献１参照。）。
【０００６】
【特許文献１】特開２００２−１２１５９４号公報
【０００７】
　ところで、この技術では、浴槽の裏底部の汚れを効率よく且つ確実に除去する上で、長時間にわたり確実止水を行える必要がある。特許文献１には、排水口を塞ぐ止水蓋に関して何等記述されておらず、主排水口の止水性に優れ取り扱性にも優れる止水材及び洗浄手段が望まれていた。
【発明の開示】
【発明が解決しようとする課題】
【０００８】
　本発明は、上述の問題点に鑑みてなされたものである。本発明の目的は、取り扱い性に優れ、浴槽が設置された床及び浴槽の裏底部等の汚れを効率よく確実に除去して浴室を衛生的に保つことができる浴室の洗浄システム及び該洗浄システムに用いて好適な止水材を提供することにある。
【課題を解決するための手段】
【０００９】
　本発明は、浴槽と該浴槽が設置された床との間に隙間が設けられているとともに、湯水を外部に排出する主排水口が前記床に設けられている浴室の洗浄システムであって、前記主排水口を塞ぐ止水材と、前記主排水口に配されて汚れの固形分を捕集するフィルター材と、前記隙間に供給されて前記浴槽の裏底部を浸す洗浄液を調製する洗浄剤とからなる浴室の洗浄システムを提供することにより、前記目的を達成したものである。
【００１０】
　また、本発明は、浴槽と該浴槽が設置された床との間に隙間が設けられているとともに、湯水を外部に排出する主排水口が前記床に設けられている浴室を、前記隙間に洗浄液を供給し、該洗浄液で前記浴槽の裏底部を浸して洗浄するときに用いるための止水材であって、
　基面部の外縁部に平面部を有し、前記洗浄液の水圧がかかることによって、前記平面部が前記主排水口の開口周縁部と密接して該記主排水口を塞ぐように設けられている止水材を提供することにより、前記目的を達成したものである。
【００１１】
　また、本発明は、浴槽と該浴槽が設置された床との間に隙間が設けられているとともに、湯水を外部に排出する主排水口が前記床に設けられている浴室の洗浄システムであって、
　上記本発明の止水材と、前記隙間に供給されて前記浴槽の裏底部を浸す洗浄液を調製する洗浄剤とからなる浴室の洗浄システムを提供することにより、前記目的を達成したものである。
【発明の効果】
【００１２】
　本発明の浴室の洗浄システムによれば、浴槽が設置された床及び浴槽の裏底部等の汚れを浸水液もれを抑えて効率よく確実に除去して浴室や排水口を衛生的に保つことができる。
【発明を実施するための最良の形態】
【００１３】
　以下、本発明をその好ましい実施形態に基づき図面を参照しながら説明する。
【００１４】
　図１（ａ）は、本発明の浴室の洗浄システム（以下、単にシステムともいう。）の第１実施形態が適用される浴室の一形態を模式的に示すものであり、図１（ａ）において、符号１はシステム、１０は浴室、１５は洗い場を示している。
【００１５】
　図１（ａ）に示すように、浴室１０は、浴槽１１と、浴槽１１が設置された床１２との間に隙間１３が設けられているとともに、浴槽１１の湯水を外部に排出する主排水口１４が床１２に設けられている。浴室１０は主排水口１４が浴槽１１及び洗い場１５の排水に兼用されている。
【００１６】
　浴槽１１は、脚部１１ａを有し、洗い場１５側の側面部には、取り外しが可能なパネル１１ｂが取り付けられている。また、浴槽１１の底の排水口１１ｃには、前記主排水口１４に浴槽１１内の湯水を導く配管１１ｄが配されている。浴槽１１と洗い場１５との間には、通常の使用時には仮想線で示す床パネル１６が配されている。
【００１７】
　第１実施形態のシステム１は、前記主排水口１４を塞ぐ止水材２と、前記主排水口１４に配されて汚れの固形分を捕集するフィルター材３と、前記隙間１３に供給されて前記浴槽１１の裏底部１１ｅを浸す洗浄液（図示せず）を調製する洗浄剤とを備えている。
【００１８】
　図２に示すように、止水材２は、前記浴室１０の床に設けられた主排水口１４を塞ぐ非透水性の円形状の粘着ラベルであり、基材シート２０の片面に粘着剤層２１を有している。止水材２は、粘着剤層２１を有していない摘み部２２を備えており、その取り外しが容易に行えるようになっている。
　基材シート２０は、水が浸み込まない材質であれば特に制限はないが、ポリエチレン、ポリプロピレン等のポリオレフィン、ポリエチレンテレフタレート、ポリ乳酸等のポリエステル等の材質からなるものを用いることが好ましい。また、粘着剤層２１に用いられる粘着剤には、アクリル系、ウレタン系の粘着剤、天然又は合成ゴム系の粘着剤等の粘着剤を用いることが好ましい。
【００１９】
　止水材２は、たわみが４０ｇｆ以上であることが好ましく、５０ｇｆ以上であることがより好ましい。止水材のたわみが４０ｇｆ未満であると排水口に止水剤を貼り付ける際に粘着面どうしが付着してしまったり、しわになったりしてしまう。止水材２は、たわみが高い程このましいが、その上限は、排水口の凹凸に追従するため、若干のたわみを必要とする点から２００ｇｆ程度である。ここで、止水材のたわみは、ハンドロメーターＦ３６０Ａ（ユニプラス社製）を用い、１５ｃｍ×１５ｃｍの試験片をスリット幅２０ｍｍとして柔軟性を測定し、たわみを数値化したものである。
【００２０】
　また、止水材２は、剥離強度が１０Ｎ以下であることが好ましく、８Ｎ以下であることがより好ましい。止水材の剥離強度が１０Ｎを超えると接着力が強すぎて簡単に止水材を剥離することができない。剥離強度は、ユニットバスの浴室排水口（丸一社製）に止水材を貼り付け、その後クリップを取り付けたプッシュブルゲージを用い、止水材の端部をクリップで挟み、排水口から剥がす力の最大値を測定して剥離強度とした。
【００２１】
　止水材２は、未使用状態では、粘着剤層２１を被覆する台紙（図示せず）とともに提供される。
【００２２】
　図３（ａ）に示すように、フィルター材３は、液透過性の袋状のフィルター３０と、フィルター３０を開口状態で主排水口１４の開口部に固定する固定具３１とから構成されている。
【００２３】
　フィルター３０は、その通気度が１００ｍ／（ｋＰａ・ｓ）以上であることが好ましく、ｍ／（ｋＰａ・ｓ）以上であることがより好ましい。フィルター３０の通気度が１００ｍ／（ｋＰａ・ｓ）未満であると排水に時間がかかるほか、浴槽裏側にあった汚れが排水によって水と一緒に流れて出てこない。逆に、通気度が大きくなるとフィルターの目が大きくなり、固形物が排水口に流れ込んでしまう。ここで、通気度は、通気性試験機ＫＥＳ−Ｆ８−ＡＰ１（カトーテック社製）を用いて測定した。
【００２４】
　フィルター３０は、前記洗浄液とともに主排水口１４から排出される汚れの固形分を分離して捕集できる透水性を有するものであれば、その素材、材質に特に制限はない。フィルター３０には、不織布、織布、ネット、開孔フィルム等の素材で形成されたものを用いることができ、これらの中でも、加工性や安価な点からプラスチック製の不織布やネットが好ましい。フィルター３０は、ネット素材で形成されている場合には、汚れの捕集性や汚れが洗浄液とともに流れるための流速をつくるため、目の大きさが０．５〜４ｍｍであることが好ましい。特に、エコマーク商品類型Ｎｏ．４「台所流し台水切り用濾紙袋」においては、目の大きさ（メッシュ）が１．５ｍｍより小さいことが記述されており、目の大きさは、１．５ｍｍよりも小さいことが望ましい。また、汚れとともに地中に埋めて廃棄できる点からポリ乳酸等の生分解性プラスチック製のものを用いることが好ましい。
【００２５】
　また、フィルター３０の容量は、十分な汚れを捕集できる点から０．１〜１リットルであることが好ましい。
【００２６】
　固定具３１は、図３（ｂ）及び（ｃ）に示すように、前記フィルター３０の開口部を前記主排水口１４の口径に合わせて広げるバンド部３１ａと、バンド部３１ａの長さを調整するバックル部３１ｂとを有している。固定具３１は、バンド部３１ａの端部をバックル部３１ｂに通してリングを形成し、このリングの径を主排水口１４の開口部の径に合わせて調整することで、フィルター３０を主排水口１４の口径に合った開口状態で固定できるように設けられている。
【００２７】
　前記洗浄液には、浴槽１１と床１２との隙間１３に供給されて、隙間１３に所定時間滞留し、浴槽１１の脚部１１ａ、裏底部１１ｅ、配管１１ｄを浸すことができるものを用いる。
【００２８】
　前記洗浄液を調製する前記洗浄剤は、洗浄成分として、水中で過酸化水素を放出する化合物を１〜９９質量％含有していることが好ましい。
　該過酸化水素を放出する化合物としては、過酸化水素、過炭酸ナトリウム、過硼酸ナトリウムが挙げられる。
　また、酸素系漂白剤の漂白力を強化する上で前記化合物と各種有機過酸前駆体とを併用することが好ましい。該有機過酸前駆体は、また、前記洗浄剤中に０．０５〜３０質量％含有していることが好ましい。
　有機過酸前駆体としては、アセトニトリル、マロンニトリル、フタロニトリル、ベンゾイルイミノジアセトニトリル等のニトリル、グルコースペンタアセテート、オクタアセチルシュクロース、トリアセチン、ソルビトールヘキサアテート、アセトキシベンゼンスルホン酸塩、又は、トリアセチルシアヌル酸、クロルギ酸メチル等のＯ−アセチル化物、Ｎ，Ｎ，Ｎ’，Ｎ’−テトラアセチルエチレンジアミン又はテトラアセチルグリコリルウリル、Ｎ−ベンジルイミダゾール、ジ−Ｎ−アセチルジメチルグリオキシム、１−フェニル−３−アセチルヒダントイン、Ｎ，Ｎ−ジアセチルアニリン、Ｎ−アセチルジグリコミド、ジアセチルメチルジフォルムアミド等のＮ−アシル化物、無水フタル酸、無水コハク酸、無水安息香酸、無水グルタル酸、アルキル硫酸無水物、カルボン酸と有機スルホン酸との無水物等の酸無水物、ジ−（メタンスルフォニル）ジメチルグリオキシムのようなスルフォニルオキシム、ジ−エチルベンゾイルリン酸塩等のアシル化燐酸塩、アルカノイルオキシベンゼンスルホン酸又はカルボン酸および、それらのアルカリ金属もしくはアルカリ土類金属の塩、ジフェニルフォスフィニックアジド等の有機燐酸アジド、ジフェニルジスルフォン等のジスフォン、その他Ｎ−スルフォニルイミダゾール、ジアナミド、ハロゲン化トリアジン、Ｎ，Ｎ−ジメチル−Ｎ−オクチル−Ｎ−１０−カルボフェノキシドデシルアンモニウムクロライド等の各種有機過酸前駆体が挙げられる。これらの有機過酸前駆体の内、Ｎ，Ｎ，Ｎ’，Ｎ’−テトラアセチルエチレンジアミン、アルカノイルオキシベンゼンスルホン酸又はそれらのアルカリ金属若しくはアルカリ土類金属の塩、及びアルカノイルオキシベンゼンカルボン酸又はそれらのアルカリ金属若しくはアルカリ土類金属の塩、から選ばれる一種以上が好ましく、アルカノイル基の炭素数が６〜１４のアルカノイルオキシベンゼンスルホン酸又はそのアルカリ金属若しくはアルカリ土類金属の塩がより好ましく、特に、炭素数８〜１４の、より好ましくは炭素数１０〜１４の、最も好ましくは炭素数１２のアルカノイル基を有するアルカノイルオキシベンゼンスルホン酸又はそのアルカリ金属若しくはアルカリ土類金属の塩が最も好適である。
【００２９】
　前記洗浄剤には、塩素系漂白成分を含ませることもできる。該塩素系漂白成分としては、次亜塩素酸又は／及びそのアルカリ金属若しくはアルカリ土類金属の塩、トリクロルイソシアヌール酸、ジクロルイソシアヌール酸又は／及びそれらのカリウム若しくはナトリウム塩が挙げられる。これら塩素系漂白成分のうち次亜塩素酸のアルカリ金属若しくはアルカリ土類金属の塩、ジクロルイソシアヌール酸及びこれらのカリウム若しくはナトリウム塩が好ましく、特に次亜塩素酸ナトリウム、ジクロルイソシアヌール酸のカリウム若しくはナトリウム塩が好ましい。
　前記洗浄剤中の有効塩素濃度は、０．０１〜５．０％が好ましく、０．０２〜３．０％が好ましく、０．０５〜１．５％が特に好ましい。
【００３０】
　前記洗浄剤には、市販の循環式風呂釜用洗浄剤や排水口のパイプ洗浄剤等の湯垢やぬめり等の汚れをはぎ取るのに優れる発泡性洗浄剤、石鹸カスや皮脂等の分解に優れる浴槽用洗浄剤、或いはカビに対して除菌、虫に対して殺菌効果を有する漂白剤、漂白剤入りの洗浄剤を用いることもできる。
【００３１】
　前記洗浄剤は、例えば、浴槽内にためた水やお湯、又は残り湯に投入して洗浄液を調製し、浴槽の排水口から浴槽裏側部に洗浄液を満たしたり、洗浄剤を直接浴槽裏側部に投入した後に水やお湯をかけて洗浄液としたり、浴室の排水口を止水して水やお湯を溜めた後に該洗浄剤を投入してもよい。
【００３２】
　前記洗浄剤は、ボトル、パウチ、ピロー包装等の容器に充填されて提供される。
【００３３】
　次に、前記システム１を用いた浴室１０の洗浄方法について説明する。
【００３４】
　先ず、図１（ａ）に示すように、前記床パネル１６を取り外す。そして、前記固定具３１のバンド部３１ａの長さ（バンド部のリングの径）をバックル部３１ｂで調整し、主排水口１４の口径に合わせる。さらに、リング状の固定具３１内にフィルター３０を通してその開口部を固定具３１の外側に折り返し、固定具３１を前記段部１４ａに載置してフィルター３０を開口状態で主排水口１４内に固定する。さらに、止水材２を台紙から剥がして排水口１４の開口縁部に貼り付け、当該主排水口１４を塞いで止水する。洗浄に当たっては、必要に応じて浴槽１１の側面の前記エプロン１１ｂを取り外しても良い。
【００３５】
　次に、浴槽１１の排水口１１ｃを通じて前記洗浄液を前記隙間１３に供給し、図１（ｂ）に示すように、浴槽１１の脚部１１ａ、裏底部１１ｅ及び配管１１ｄを当該洗浄液に浸す。供給する洗浄液の量は、浴槽の大きさ、浴槽が設置される床面積、洗浄液をためることのできる容積等に応じて適宜設定することができる。例えば、一般的に普及しているユニットバスの構造を考慮すると、供給する洗浄液の量は、５〜８０リットルであることが好ましい。
【００３６】
　そして、所定時間経過後、図１（ｃ）に示すように、止水材２を主排水口１４から取り外して主排水口１４を開放し、浴槽１１の脚部１１ａ、裏底部１１ｅ、配管１１ｄ、床１２、及び周壁１７の汚れを前記洗浄液とともに主排水口１４から排出する。前記洗浄液に浴槽１１の脚部１１ａ等を浸す時間は、汚れの度合い等に応じて適宜設定することができる。洗浄液に浸す時間は長ければ長い程良いが、目安としては、１〜２時間、場合によっては、入浴後の湯水を用いて一晩中浸しておけば十分である。
【００３７】
　必要に応じ、水槽１１の排水口１１ｃを通じて水を供給するか、或いは隙間１３にシャワーやホースで直接水を噴射し、浴槽１１の脚部１１ａ及び裏底部１１ｅ、配管１１ｄ、前記床１２、並びに周壁１７を洗浄する。そして、前記フィルター材３を取り外し、濾過された汚れの固形分を廃棄する。最後に、前記床パネル１６（及びエプロン１１ｂ）をはめて浴室１０の洗浄を終了する。
【００３８】
　以上説明したように、本実施形態のシステム１及びこれを用いた浴室の洗浄方法によれば、浴槽１１が設置された床１２及び浴槽１１の脚部１１ａ、裏底部１１ｅ、配管１１ｄ、周壁部１７の汚れを確実に落として浴室１０を衛生的に保つことができる。また、フィルター材３で汚れの固形分を捕集するため、外部の配管の詰まりを防ぐことができる。
【００３９】
　次に、本発明の止水材を、その好ましい実施形態に基づいて説明する。
　図４は、本発明の止水材の一実施形態を模式的に示すものである。図４において、符号４は止水材を示している。
【００４０】
　止水材４は、前記システム１の止水材２と同様に、図１（ａ）に示すような、浴室１０を、隙間１３に洗浄液を供給し、該洗浄液で浴槽１１の裏底部１１ｅを浸して洗浄するために用いられる。
【００４１】
　図４に示すように、本実施形態の止水材４は、基面部４０の外縁部に、主排水口１４の開口周縁部１４ｂに密接する平面部４１を有している。止水材４は、前記洗浄液の水圧がかかることによって、平面部４１が主排水口１４の開口周縁部１４ｂに密接し、前記主排水口１４を塞ぐように設けられている。
【００４２】
　止水材４は、平面視して円形の外形形状の薄肉の樹脂成形体からなる。平面部４１と開口周縁部１４ｂとの重なり合う幅ｗは、水圧による主排水口１４の開口周縁部１４ｂへの確実な密着、主排水口１４の開口周縁部１４ｂの幅、髪の毛トラップ蓋の直径等を考慮すると、少なくとも３ｍｍ以上とすることが好ましい。また、止水材４の外形の最大寸法（本実施形態では止水材の直径）Ｌは、主排水口の開口幅、流通時のコンパクト性等を考慮すると、１００〜１５０ｍｍとすることが好ましい。
【００４３】
　止水材４を構成する樹脂としては、一般的に公知の合成樹脂、例えば、ポリプロピレン（ＰＰ）、ポリエチレン（ＰＥ）、ポリスチレン（ＰＳ）、ポリエチレンテレフタレート（ＰＥＴ）等が挙げられる。ＰＥＴボトルの再生樹脂利用による環境配慮の点からは、ＰＥＴが特に好ましい。
【００４４】
　止水材４の肉厚は、水圧に耐える強度を維持する観点から０．１〜３ｍｍ、特に樹脂量削減による環境配慮の観点から０．１〜０．５ｍｍが好ましい。
【００４５】
　止水材４には、基面部４０の中央部から上方に突出する周壁状の摘み部４２が設けられている。摘み部４２の高さ（基面部の上面からの高さ）は、汚れた洗浄液内に手を入れて止水材４を主排水口１４から取り外すことを考慮すると、高いほど好ましいが、排水口の深さや流通時のコンパクト性の観点から２〜２０ｍｍが好ましい。
【００４６】
　止水材４には、摘み部４２の外側に同心円状に広がる二つの凸状の補強リブ４３と、放射状に伸び互いにほぼ直交する二つの凸状の補強リブ４４が設けられている。これらの補強リブ４３、４４により、主排水口１４を塞いで洗浄液を止水し、浴槽裏側部等の洗浄を行っている際に、薄肉の止水材４のたわみが抑えられ、主排水口１４の密閉が確実に行われる。補強リブ４３の直径、数及び隣接する補強リブ４３どうしの間隔や、補強リブ４４の長さ、数及び隣り合う補強リブ４４どうしの角度は、止水材４の肉厚、成形性、スタッキング性、止水に必要な強度等に応じて設定される。
【００４７】
　次に、本発明の浴室の洗浄システムの第２実施形態を、前記止水材４を用いた洗浄システムに基づいて説明する。
【００４８】
　第２実施形態のシステムは、第１実施形態のシステム１と同様に、図１（ａ）に示すような、浴槽１１と浴槽１１が設置された床１２との間に隙間１３が設けられているとともに、湯水を外部に排出する主排水口１４が床１２に設けられている浴室１０を洗浄するときに用いられ、前記止水材４と、前記隙間１３に供給されて浴槽１１の裏底部を浸す洗浄液を調製する洗浄剤とからなる。
【００４９】
　前記洗浄剤は、第１実施形態のシステムにおける前記洗浄剤と同じである。
【００５０】
　本実施形態のシステムを用いた浴室１０の洗浄方法は、止水材２に代えて止水材４を用い、主排水口１４を塞いで止水を行う以外は、第１実施形態のシステム１を用いた洗浄方法と同様にして行うことができる。
【００５１】
　本実施形態の止水材４及びこれを用いたシステムでは、前記実施形態のシステム１と同様の効果が奏される。また、主排水口１４の上に止水材４を配した後、洗浄液で浴槽１１の裏底部１１ｅ及び床１２を洗浄液で浸すと、当該洗浄液の水圧で前記鍔部４１が主排水口１４の開口周縁部１４ｂに密着して止水が行えるので、簡単に止水を行うことができる。さらに、洗浄液に浸す所定時間の経過後、止水材４を主排水口１４から取り外すときも、摘み部４２をつまんで取り外すだけでよいため、その操作も簡単に行うことができる。止水材４は使い捨てとして、使用後にそのまま廃棄することもできるが、数回繰り返し使用することも可能である。
【００５２】
　図５〜図１０は、本発明の止水材のほかの実施形態を模式的に示したものである。これらの図において、符号４’は止水材を示している。また、前記実施形態の止水材４と共通する部分については、同一符号を付しその説明は省略する。従って、特に説明のない部分は前記実施形態の止水材４の説明が適宜適用される。
【００５３】
　図５示す実施形態の止水材４’は、補強リブに、前記実施形態の止水材４における同心円状の補強リブ４３のみ有している以外は、止水材４と同様の構成を有している。本実施形態の止水材４’は、補強リブが少ないので、樹脂量削減が必要な場合に好適である。
【００５４】
　図６示す実施形態の止水材４’は、補強リブに、同心円状の補強リブ４３を一つ有している以外は、止水材４と同様の構成を有している。本実施形態の止水材４’は、止水時に補強リブ内に溜まる空気量が少ないので、止水時の浮力を抑えたい場合に好適である。
【００５５】
　図７に示す実施形態の止水材４’は、補強リブに、基面部４０の中央部から略等角度をおいて放射状に伸びる８本の凸状の補強リブ４４のみが設けられている以外は、前記止水材４と同様の構成を有している。補強リブ４４は、止水材４’の止水性に影響を与えない範囲において、その外端部が主排水口１４にかかるように設けることが高い補強効果を得る上で好ましい。本実施形態の止水材４’は、補強リブの数で強度を出せるので、補強リブの高さを低く抑えることができることから、排水口の深さが浅い場合に好適に使用される。
【００５６】
　図８に示す実施形態の止水材４’は、基面部４０の中央部から上方に突出する摘み部４２の上面部にほぼ面一となるように、略等角度をおいて放射状に伸びる４本の凸状の補強リブ４４のみが設けられている以外は、前記止水材４と同様の構成を有している。補強リブ４４は、外側に進むにつれて幅が広げられている。補強リブ４４は、止水材４’の止水性に影響を与えない範囲において、その外端部が主排水口１４にかかるように設けることが高い補強効果を得る上で好ましい。本実施形態の止水材４’は、凸状の補強リブの中心部が指でつまみやすく把持性が高いので、止水材の高さを均一にしたい場合に好適である。
【００５７】
　図９に示す実施形態の止水材４’は、基面部４０の中央部から上方に突出する摘み部４２に、略等角度をおいて放射状に伸びる４本の凹状の補強リブ４４のみが設けられている以外は、前記止水材４と同様の構成を有している。補強リブ４４は、外側に進むにつれて幅が広げられている。補強リブ４４は、止水材４’の止水性に影響を与えない範囲において、その外端部が主排水口１４にかかるように設けることが高い補強効果を得る上で好ましい。本実施形態の止水材４’は、凹状の補強リブの中心部側を指でつまみやすく把持性が高いので、止水材の高さを均一にしたい場合に好適である。
【００５８】
　図１０に示す実施形態の止水材４’は、肉厚で中実の基面部４０の外縁部の一部が切り欠かれて摘み部４２が設けられているとともに、主排水口１４の開口周縁部１４ｂに密接する平面部４１が基面部４０の外縁部の下面からなる。本実施形態の止水材４’は、材の厚みで強度をもたせているので、シンプルな外観を得るため補強リブを用いたくない場合に好適である。
【００５９】
　本発明は、前記実施形態に制限されるものではなく、本発明の趣旨を逸脱しない範囲において、適宜変更することができる。
【００６０】
　本発明の浴室の洗浄システムに用いられる止水材は、システム１の止水材２のようなラベル状の形態や、前記実施形態の止水材４、４’のような樹脂成形体からなる形態が好ましいが、これ以外の形態、例えば、ロール状に巻き取られたものを所定長さに切り取って使用する形態、主排水口にはめ込んで止水するゴム等の弾性体からなる栓状の形態として提供されるものであってもよい。
【００６１】
　また、本発明の浴室の洗浄システムに用いられるフィルターは、洗浄液とともに排出される汚れの固形成分を分離して捕集できる形態であれば、その形態に特に制限はない、該フィルターとしては、前記実施形態のように、フィルター３０と固定具３１とで構成される形態のものが好ましいが、それ以外の形態、例えば、通水孔を有する基材シートの片面に前記フィルターを形成する材質のシートを貼り付けた形態等のものを用いることができる。また、固定リングには、ゴムなどの弾性体で形成されたものを用いることもできる。
【００６２】
　また、前記実施形態では、浴槽１１と床１２の隙間１３に洗浄液を供給して浴槽１１の裏底部１１ｅ等が浸るようにしたが、洗い場１５が浸るまで洗浄液を供給することで、洗い場１５も合わせて洗浄することができる。
【００６３】
　本発明は、浴槽と該浴槽が設置された床との間に隙間が設けられているとともに、前記浴槽の排水口から排出される湯水を外部に排出する主排水口が前記床に設けられている形態に特に好適であるが、それ以外の形態、例えば、図１１に示すような、浴槽の排水管が直接床下に配されている形態にも適用することができる。また、浴槽と該浴槽が設置された床と、主排水口の設けられた床（洗い場）との間に所定の高さの堰が設けられているような形態の浴室であってもよい。
【００６４】
　本発明は、前記実施形態のように、止水材、洗浄剤及びフィルターを用いることが好ましいが、主排水口に前記汚れの固形分を捕集可能なフィルターを備えている浴室の場合には、フィルターは用いなくても良い。
【００６５】
　本発明の洗浄システムは、浴槽の洗浄に特に好適であるが、浴槽以外、例えば、洗面所の流し、キッチンの流し、洗濯機が設置される洗濯機用パン、トイレの便器等の洗浄にも適用することができる。
【００６６】
　以下、本発明を実施例によりさらに具体的に説明する。
【実施例１】
【００６７】
　止水材、洗浄剤及びフィルター材を備えた下記洗浄システムを用い、下記ユニットバスの主排水口を該止水材で止水した。そして、浴槽の排水口を通じて該浴槽と前記床との隙間に該洗浄剤で調製した洗浄液を供給し、浴槽の脚部及び裏底部並びに配管を該洗浄液に約１時間浸した後、主排水口を開放して洗浄液を汚れと共に主排水口に導いた。さらに、浴槽の側面のパネルを取り外して、前記隙間にホースで水を直接流し込み、洗浄液とともに流れきれなかった汚れを主排水口に導いた。
【００６８】
　止水材：ビニルテープ（セキスイ化学工業製、エスロン＃３６０）を２枚重ねて１５０ｍｍ×１５０ｍｍの大きさに切ったもの（止水材のたわみ：７４ｇｆ、剥離強度：８．３Ｎ）。
　洗浄液：花王（株）製「ワイドマジックリン」３００ｇを４０℃のお湯６０リットルに溶解したもの
　フィルター材：フィルター（ポリエチレンネット製、目の大きさ１ｍｍ×１ｍｍ、サイズ横１８ｃｍ×縦２５ｃｍの袋状、固定時の容積０．３リットル、通気度４７６ｍ／（Ｐａ・ｓ））；固定具（プラスチック製）で主排水口に固定。
　ユニットバス：ＴＯＴＯ社製、主排水口：内径１００ｍｍ、外径１４０ｍｍ、家族構成４人、使用年数５年
　設置床面積：１．３ｍ2
【００６９】
　主排水口を開放すると、洗浄液とともに汚れが主排水口内に流れ込み、フィルター材で固形分が捕集されることが確認された。また、浴槽の側面のエプロンを取り外して、前記隙間にホースで水を吹き付けると、洗浄液とともに流れずに残っていた汚れがほとんどすべてを主排水口に流れ込み、その固形分がフィルター材で捕集されることが確認された。
【実施例２】
【００７０】
　実施例１における止水材に代えて、図４の形態の下記止水材を用いた以外は、実施例１と同様にして洗浄を行った。
【００７１】
　＜止水材＞
　材質：ＰＥＴ
　肉厚：０．５ｍｍ
　鍔部の幅：５ｍｍ
　外径Ｌ：１４０ｍｍ
【００７２】
　洗浄液を供給して浸すと、その水圧で止水材の鍔部が主排水口の開口周縁部に密着し、確実に止水できた。所定時間の浸漬した後の主排水口の開放は摘み部をつまんで止水材を主排水口から取り外すことで簡単に行えた。そして、実施例１と同様に、主排水口を開放すると、洗浄液とともに汚れが主排水口内に流れ込み、フィルター材で固形分が捕集されることが確認された。また、浴槽の側面のエプロンを取り外して、前記隙間にホースで水を吹き付けると、洗浄液とともに流れずに残っていた汚れがほとんどすべてを主排水口に流れ込み、その固形分がフィルター材で捕集されることが確認された。
【図面の簡単な説明】
【００７３】
【図１】本発明の浴室の洗浄システムの一実施形態を用いた浴室の洗浄方法の手順を模式的に示す部分断面図であり、（ａ）は洗浄前の状態を示す図、（ｂ）は洗浄液を浸した状態を示す図、（ｃ）は汚れを洗浄液とともに排出している状態を示す図である。
【図２】本発明の浴室の洗浄システムに用いられる止水材の一実施形態を模式的に示す図であり、（ａ）は平面図、（ｂ）は縦断面図である。
【図３】本発明の浴室の洗浄システムに用いられるフィルターの一実施形態を模式的に示す図であり、（ａ）は縦断面図、（ｂ）は固定具の平面図、（ｃ）は固定具の縦断面図である。
【図４】本発明の止水材の一実施形態を模式的に示す図であり、（ａ）は平面図、（ｂ）は（ａ）のＡ−Ａ矢視切断端面図である。
【図５】本発明の止水材の他の実施形態を模式的に示す図であり、（ａ）は平面図、（ｂ）は側断面図である。
【図６】本発明の止水材の他の実施形態を模式的に示す図であり、（ａ）は平面図、（ｂ）は側断面図である。
【図７】本発明の止水材の他の実施形態を模式的に示す図であり、（ａ）は平面図、（ｂ）は（ａ）のＢ−Ｂ矢視切断端面図である。
【図８】本発明の止水材の他の実施形態を模式的に示す図であり、（ａ）は平面図、（ｂ）は（ａ）のＣ−Ｃ矢視切断端面図である。
【図９】本発明の止水材の他の実施形態を模式的に示す図であり、（ａ）は平面図、（ｂ）は（ａ）のＤ−Ｄ矢視切断端面図である。
【図１０】本発明の止水材の他の実施形態を模式的に示す図であり、（ａ）は平面図、（ｂ）は側断面図である。
【図１１】本発明の浴室の洗浄システムが適用される浴室の他の形態を模式的に示す図である。
【符号の説明】
【００７４】
　１　浴室の洗浄システム
　２　止水材
　３　フィルター材
　　３０　フィルター
　　３１　固定具
　４、４’　止水材
　　４０　基面部
　　４１　平面部
　　４２　摘み部
　　４３、４４　補強リブ
　１０　浴室
　１１　浴槽
　１２　床
　１３　隙間
　１４　主排水口
　　１４ｂ　開口周縁部
【図１】
2004113781.tif 000003
【図２】
2004113781.tif 000004
【図３】
2004113781.tif 000005
【図４】
2004113781.tif 000006
【図５】
2004113781.tif 000007
【図６】
2004113781.tif 000008
【図７】
2004113781.tif 000009
【図８】
2004113781.tif 000010
【図９】
2004113781.tif 000011
【図１０】
2004113781.tif 000012
【図１１】
2004113781.tif 000013